(57)【要約】      （修正有）【課題】異種ネットワークにおける異なるセルのＵＥ発見を改善するために、様々なＤＲＳ構成について、セルＩＤを管理する方法および装置を提供する。【解決手段】ＵＥは、基地局測定を実行するために、ＰＣＩに基づき構成されたＰＣＩに基づく第１の基準信号を受信する。ＵＥは、測定のために、ＰＣＩに関連付けられたＶＣＩに基づき構成された１つまたは複数の第２の基準信号をさらに受信する。ＵＥは、第１の基準信号と１つまたは複数の第２の基準信号とに基づいて、基地局測定を実行する。【選択図】図１
2018038047.tif 000002
【特許請求の範囲】
【請求項１】
ユーザ機器（ＵＥ）のためのワイヤレス通信の方法であって、
前記ＵＥによって基地局測定を実行するために構成された第１の基準信号を受信することと、ここで、前記第１の基準信号が物理セル識別情報（ＰＣＩ）に基づく、
前記ＵＥによる測定のために構成された１つまたは複数の第２の基準信号を受信することと、ここで、前記１つまたは複数の第２の基準信号の各々が、前記ＰＣＩに関連付けられた仮想セル識別子（ＶＣＩ）に基づく、
前記第１の基準信号と前記１つまたは複数の第２の基準信号とに基づいて、前記基地局測定を実行することと
を備える、方法。
【請求項２】
前記１つまたは複数の第２の基準信号の各々のための前記ＶＣＩが、サービング基地局から前記ＵＥにシグナリングされる、請求項１に記載の方法。
【請求項３】
前記第１の基準信号が、１次同期信号（ＰＳＳ）、２次同期信号（ＳＳＳ）、またはセル固有基準信号（ＣＲＳ）のうちの少なくとも１つを備える、請求項１に記載の方法。
【請求項４】
前記１つまたは複数の第２の基準信号の各々が、チャネル状態情報基準信号（ＣＳＩ−ＲＳ）を備える、請求項１に記載の方法。
【請求項５】
前記第１の基準信号および前記１つまたは複数の第２の基準信号は、前記基地局がオフ状態またはオン状態にあるときに受信される、請求項１に記載の方法。
【請求項６】
前記ＰＣＩと前記１つまたは複数の第２の基準信号の各々のための前記ＶＣＩとの間のマッピングを受信することをさらに備える、請求項１に記載の方法。
【請求項７】
前記基地局測定を実行することが、前記第１の基準信号と前記１つまたは複数の第２の基準信号とのうちの少なくとも１つに基づいて、基準信号受信電力（ＲＳＲＰ）または基準信号受信品質（ＲＳＲＱ）のうちの少なくとも１つを決定することを備える、請求項１に記載の方法。
【請求項８】
前記ＲＳＲＰまたは前記ＲＳＲＱのうちの前記少なくとも１つを前記基地局に報告することをさらに備える、請求項７に記載の方法。
【請求項９】
前記１つまたは複数の第２の基準信号に基づいて、前記ＲＳＲＰまたは前記ＲＳＲＱのうちの少なくとも１つを報告することを抑制すること
をさらに備える、請求項７に記載の方法。
【請求項１０】
前記１つまたは複数の第２の基準信号に基づいて、チャネル状態情報（ＣＳＩ）を前記基地局に報告すること
をさらに備える、請求項９に記載の方法。
【請求項１１】
前記基地局の状態を決定すること
をさらに備え、
ここにおいて、前記基地局測定が前記基地局の前記状態に基づき、ここにおいて、前記基地局の前記状態がオフ状態またはオン状態を備える、
請求項１に記載の方法。
【請求項１２】
少なくとも１つのサブフレームまたは前記サブフレームのサブバンドを決定することをさらに備え、
ここにおいて、前記基地局測定を実行することが、前記少なくとも１つのサブフレームまたはサブバンドに基づいて、基準信号受信品質（ＲＳＲＱ）を決定することを含む、
請求項１に記載の方法。
【請求項１３】
前記ＲＳＲＱの前記測定が、前記決定された少なくとも１つのサブフレームまたは前記サブフレームのサブバンド中の受信信号強度インジケータ（ＲＳＳＩ）を測定することを備える、請求項１２に記載の方法。
【請求項１４】
測定を実行するためのサブフレームのセットの指示をネットワークから受信することをさらに備える、請求項１に記載の方法。
【請求項１５】
前記基地局測定を実行するための基準信号構成の指示を受信することをさらに備え、ここにおいて、前記基準信号構成が、セル固有基準信号（ＣＲＳ）またはチャネル状態情報基準信号（ＣＳＩ−ＲＳ）のうちの少なくとも１つを識別する、請求項１に記載の方法。
【請求項１６】
ワイヤレス通信のためのＵＥであって、
メモリと、
前記メモリに結合された少なくとも１つのプロセッサと
を備え、前記少なくとも１つのプロセッサは、
前記ＵＥによって基地局測定を実行するために構成された第１の基準信号を受信することと、ここで、前記第１の基準信号が物理セル識別情報（ＰＣＩ）に基づく、
前記ＵＥによる測定のために構成された１つまたは複数の第２の基準信号を受信することと、ここで、前記１つまたは複数の第２の基準信号の各々が、前記ＰＣＩに関連付けられた仮想セル識別子（ＶＣＩ）に基づく、
前記第１の基準信号と前記１つまたは複数の第２の基準信号とに基づいて、前記基地局測定を実行することと
を行うように構成された、ＵＥ。
【請求項１７】
少なくとも１つのユーザ機器（ＵＥ）による基地局測定を可能にするように構成された第１の基準信号を生成することと、ここで、前記第１の基準信号が物理セル識別情報（ＰＣＩ）に基づく、
前記少なくとも１つのＵＥによる測定を可能にするように構成された１つまたは複数の第２の基準信号を生成することと、ここで、前記１つまたは複数の第２の基準信号の各々が、前記ＰＣＩに関連付けられた仮想セル識別子（ＶＣＩ）に基づく、
前記第１の基準信号と前記１つまたは複数の第２の基準信号とを送信することと
を備える、基地局のためのワイヤレス通信の方法。
【請求項１８】
前記１つまたは複数の第２の基準信号の各々のための前記ＶＣＩを送信することをさらに備える、請求項１７に記載の方法。
【請求項１９】
前記第１の基準信号が、１次同期信号（ＰＳＳ）、２次同期信号（ＳＳＳ）、またはセル固有基準信号（ＣＲＳ）のうちの少なくとも１つを備える、請求項１７に記載の方法。
【請求項２０】
前記１つまたは複数の第２の基準信号の各々が、チャネル状態情報基準信号（ＣＳＩ−ＲＳ）を備える、請求項１７に記載の方法。
【請求項２１】
前記第１の基準信号および前記１つまたは複数の第２の基準信号は、前記基地局がオフ状態またはオン状態にあるときに送信される、請求項１７に記載の方法。
【請求項２２】
前記ＰＣＩと前記１つまたは複数の第２の基準信号の各々のための前記ＶＣＩとの間のマッピングを送信することをさらに備える、請求項１７に記載の方法。
【請求項２３】
少なくとも１つのユーザ機器（ＵＥ）から、前記少なくとも１つのＵＥからの基準信号受信電力（ＲＳＲＰ）または基準信号受信品質（ＲＳＲＱ）のうちの少なくとも１つを受信すること
をさらに備える、請求項１７に記載の方法。
【請求項２４】
少なくとも１つのユーザ機器（ＵＥ）から、前記１つまたは複数の第２の基準信号に基づいて、チャネル状態情報（ＣＳＩ）を受信すること
をさらに備える、請求項１７に記載の方法。
【請求項２５】
少なくとも１つのサブフレームまたは前記サブフレームのサブバンドを少なくとも１つのユーザ機器（ＵＥ）に示すことをさらに備え、
ここにおいて、前記ＲＳＲＱが、前記少なくとも１つのサブフレームまたはサブバンドに基づく、
請求項２３に記載の方法。
【請求項２６】
前記ＲＳＲＱが、前記少なくとも１つのサブフレームまたは前記サブフレームのサブバンド中の受信信号強度インジケータ（ＲＳＳＩ）に基づく、請求項２３に記載の方法。
【請求項２７】
前記基地局の状態を送信すること
をさらに備え、
ここにおいて、前記基地局測定が前記基地局の前記状態に基づき、ここにおいて、前記基地局の前記状態がオフ状態またはオン状態を備える、
請求項１７に記載の方法。
【請求項２８】
前記基地局測定を実行するための基準信号構成の指示を送信することをさらに備え、ここにおいて、前記基準信号構成が、セル固有基準信号（ＣＲＳ）またはチャネル状態情報基準信号（ＣＳＩ−ＲＳ）のうちの少なくとも１つを識別する、請求項１７に記載の方法。
【請求項２９】
メモリと、
前記メモリに結合された少なくとも１つのプロセッサと
を備え、前記少なくとも１つのプロセッサは、
少なくとも１つのユーザ機器（ＵＥ）による基地局測定を可能にするように構成された第１の基準信号を生成することと、ここで、前記第１の基準信号が物理セル識別情報（ＰＣＩ）に基づく、
前記少なくとも１つのＵＥによる測定を可能にするように構成された１つまたは複数の第２の基準信号を生成することと、ここで、前記１つまたは複数の第２の基準信号の各々が、前記ＰＣＩに関連付けられた仮想セル識別子（ＶＣＩ）に基づく、
前記第１の基準信号と前記１つまたは複数の第２の基準信号とを送信することと
を行うように構成された、
ワイヤレス通信のための装置。
【請求項３０】
前記１つまたは複数の第２の基準信号の各々が、チャネル状態情報基準信号（ＣＳＩ−ＲＳ）を備える、請求項１７に記載の装置。
【発明の詳細な説明】
【技術分野】
【０００１】
関連出願の相互参照
[0001]本出願は、その全体が参照により本明細書に明確に組み込まれる、２０１４年５月７日に出願された「CELL ID MANAGEMENT FOR DISCOVERY REFERENCE SIGNALS FOR SMALL CELLS IN LTE（登録商標）」と題する米国仮出願第６１／９９０，０６２号、および２０１５年３月１２日に出願された「CELL ID MANAGEMENT FOR DISCOVERY REFERENCE SIGNALS FOR SMALL CELLS IN LTE」と題する米国特許出願第１４／６５６，５８９号の利益を主張する。
【０００２】
[0002]本開示は、一般に通信システムに関し、より詳細には、ＬＴＥにおけるスモールセルからの発見基準信号に関係するセルＩＤ管理に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。電気通信規格の一例はロングタームエボリューション（ＬＴＥ）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]異種ネットワークは、マクロセルに加えて、フェムトセルおよびピコセルなど、様々なスモールセルを組み込む。セル固有基準信号（ＣＲＳ）および／またはチャネル状態情報基準信号（ＣＳＩ−ＲＳ）とともに、（たとえば、基地局とも呼ばれる）セルによって、既存の１次同期信号（ＰＳＳ）および２次同期信号（ＳＳＳ）が、発見基準信号として働くように構成され得る。しかしながら、そのような既存の信号は十分でないことがある。たとえば、同期展開の下で、異なるセルのＰＳＳおよび／またはＳＳＳが互いに衝突することがある。したがって、ＰＳＳおよび／またはＳＳＳを使用してＵＥによって検出／発見され得るセルの数は制限され得る。別の例として、ＣＲＳは、限られた再使用（たとえば、最高１／６の再使用係数）を有し、いくつかの多地点協調（ＣｏＭＰ）送信シナリオの場合、送信ポイント（ＴＰ）識別情報を与えないことがある。ＣＲＳは物理セル識別子（ＰＣＩ）に依存するので、ＣＲＳは、マクロセルおよびそれの関連するセルの間でＴＰ識別情報を与えることができない。開示する態様は、異種ネットワークにおける異なるセルのＵＥ発見を改善するために、様々な発見基準信号（ＤＲＳ）構成についてセル識別子（ＩＤ）を管理するための手法を提供する。
【０００６】
[0006]本開示の一態様では、方法、コンピュータプログラム製品、および装置が提供される。たとえば、装置はＵＥであり得る。ＵＥは、ＵＥによって基地局測定を実行するために構成された第１の基準信号を受信し、ここで、第１の基準信号がＰＣＩに基づく。ＵＥは、ＵＥによる測定のために構成された１つまたは複数の第２の基準信号をさらに受信し、ここで、１つまたは複数の第２の基準信号の各々が、ＰＣＩに関連付けられた仮想セル識別子（ＶＣＩ）に基づく。ＵＥは、第１の基準信号と１つまたは複数の第２の基準信号とに基づいて、基地局測定を実行する。
【０００７】
[0007]本開示の一態様では、方法、コンピュータプログラム製品、および装置が提供される。たとえば、装置は基地局であり得る。基地局は、少なくとも１つのＵＥによる基地局測定を可能にするように構成された第１の基準信号を生成し、ここで、第１の基準信号がＰＣＩに基づく。基地局は、少なくとも１つのＵＥによる測定を可能にするように構成された１つまたは複数の第２の基準信号をさらに生成し、ここで、１つまたは複数の第２の基準信号の各々が、ＰＣＩに関連付けられたＶＣＩに基づく。基地局は、第１の基準信号と１つまたは複数の第２の基準信号とを送信する。
【図面の簡単な説明】
【０００８】
【図１】[0008]ネットワークアーキテクチャの一例を示す図。
【図２】[0009]アクセスネットワークの一例を示す図。
【図３】[0010]ＬＴＥにおけるＤＬフレーム構造の一例を示す図。
【図４】[0011]ＬＴＥにおけるＵＬフレーム構造の一例を示す図。
【図５】[0012]ユーザプレーンおよび制御プレーンのための無線プロトコルアーキテクチャの一例を示す図。
【図６】[0013]アクセスネットワーク中の発展型ノードＢおよびユーザ機器の一例を示す図。
【図７】[0014]例示的なスモールセル展開構成を示す図。
【図８】[0015]例示的なスモールセル展開構成を示す図。
【図９】[0016]例示的なスモールセル展開構成を示す図。
【図１０】[0017]例示的なスモールセル展開構成を示す図。
【図１１Ａ】[0018]ワイヤレス通信の方法のフローチャート。
【図１１Ｂ】ワイヤレス通信の方法のフローチャート。
【図１２Ａ】[0019]ワイヤレス通信の方法のフローチャート。
【図１２Ｂ】ワイヤレス通信の方法のフローチャート。
【図１３】[0020]例示的な装置中の異なるモジュール／手段／構成要素間のデータフローを示す概念データフロー図。
【図１４】[0021]処理システムを採用する装置のためのハードウェア実装形態の一例を示す図。
【図１５Ａ】[0022]ワイヤレス通信の方法のフローチャート。
【図１５Ｂ】ワイヤレス通信の方法のフローチャート。
【図１６Ａ】[0023]ワイヤレス通信の方法のフローチャート。
【図１６Ｂ】ワイヤレス通信の方法のフローチャート。
【図１７】[0024]例示的な装置中の異なるモジュール／手段／構成要素間のデータフローを示す概念データフロー図。
【図１８】[0025]処理システムを採用する装置のためのハードウェア実装形態の一例を示す図。
【発明を実施するための形態】
【０００９】
[0026]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素をブロック図の形式で示す。
【００１０】
[0027]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００１１】
[0028]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実施するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１２】
[0029]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１３】
[0030]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者が容易に諒解するように、本開示全体にわたって提示する様々な概念は、回線交換サービスを提供するネットワークに拡張され得る。
【００１４】
[0031]Ｅ−ＵＴＲＡＮは、発展型ノードＢ（ｅＮＢ）１０６と他のｅＮＢ１０８とを含み、マルチキャスト協調エンティティ（ＭＣＥ：Multicast Coordination Entity）１２８を含み得る。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は発展型マルチメディアブロードキャストマルチキャストサービス（ＭＢＭＳ）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティまたはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１５】
[0032]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ：Home Subscriber Server）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンター（ＢＭ−ＳＣ：Broadcast Multicast Service Center）１２６と、パケットデータネットワーク（ＰＤＮ： Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１６】
[0033]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、ｅＮＢの最小カバレージエリアを指すことができ、および／またはｅＮＢサブシステムサービングは特定のカバレージエリアである。さらに、「ｅＮＢ」、「基地局」、および「セル」という用語は、本明細書では互換的に使用されることがある。
【００１７】
[0034]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課される全体的な設計制約に依存することになる。
【００１８】
[0035]ｅＮＢ２０４は、ＭＩＭＯ技術をサポートする複数のアンテナを有し得る。ＭＩＭＯ技術の使用により、ｅＮＢ２０４は、空間多重化と、ビームフォーミングと、送信ダイバーシティとをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００１９】
[0036]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを介した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２０】
[0037]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００２１】
[0038]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７個の連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６個の連続するＯＦＤＭシンボルを含んでいる。Ｒ３０２、３０４として示されるリソース要素のうちのいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２２】
[0039]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００２３】
[0040]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２４】
[0041]初期システムアクセスを実行し、物理ランダムアクセスチャネル（ＰＲＡＣＨ： physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥはフレーム（１０ｍｓ）ごとに単一のＰＲＡＣＨ試みのみを行うことができる。
【００２５】
[0042]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３という３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２６】
[0043]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２７】
[0044]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００２８】
[0045]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２９】
[0046]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、ヘッダ圧縮と、暗号化と、パケットのセグメンテーションおよび並べ替えと、論理チャネルとトランスポートチャネルとの間の多重化と、様々な優先度メトリックに基づくＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３０】
[0047]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３１】
[0048]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実施し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３２】
[0049]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用する誤り検出を担当する。
【００３３】
[0050]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅＮＢ６１０へのシグナリングとを担当する。
【００３４】
[0051]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３５】
[0052]ＵＬ送信は、ＵＥ６５０における受信機機能に関して説明した方法と同様の方法でｅＮＢ６１０において処理される。各受信機６１８ＲＸが、それのそれぞれのアンテナ６２０を通して信号を受信する。各受信機６１８ＲＸは、ＲＦキャリア上に変調された情報を復元し、ＲＸプロセッサ６７０に情報を与える。ＲＸプロセッサ６７０はＬ１レイヤを実装し得る。
【００３６】
[0053]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用する誤り検出を担当する。
【００３７】
[0054]ネットワーク（たとえば、ＬＴＥネットワーク）性能を改善するために、エリア内の近接したスモールセルの数は増加させられ得る。たとえば、マクロエリアでは、ネットワークの容量および帯域幅を高めるために、多くのスモールセルが展開され得る。より効率的にそのようなスモールセルを管理するために、様々なダウンリンク干渉回避／協調方法がネットワークによって実装され得る。一態様では、スモールセル間欠送信（ＤＴＸ）、キャリア選択、拡張セル間干渉協調（ｅＩＣＩＣ）、ダウンリンク電力適応、および／またはセル選択／関連付け拡張がネットワークによって実装され得る。たとえば、スモールセルＤＴＸを実装するとき、すべてのサブフレーム中で送信する代わりに、スモールセルは、それが有益であると考えられる場合、スモールセルの送信を中止し得る。たとえば、キャリア選択を実装するとき、ネットワークは、異なるキャリアを選択し得る。一態様では、ＵＥは、それの周囲セルを発見するために、発見信号に依拠する必要があり得る。したがって、そのような発見信号はスモールセル管理を可能にし得る。その上、発見信号は、（オン／オフ動作を含む）負荷分散および干渉協調、新しいスモールセルの自律的構成、ならびに／またはモビリティロバストネスを可能にし得る。
【００３８】
[0055]図７は、周波数と地理の両方に関する例示的なスモールセル展開構成を示す図７００である。図７は、マクロセル７０２およびスモールセル７０４の屋外展開を示している。一態様では、スモールセル７０４は、セル１  ７０５と、セル２  ７０７と、セル３
７０９とを含み得る。図７では、スモールセル７０４は、バックホールリンク７０８および７１０を通して互いに結合される。さらに、スモールセル７０４は、周到なバックホールリンク７０６マクロセル７０２に結合される。図７の構成では、マクロセル７０２とスモールセル７０４とは周波数帯域（たとえば、周波数帯域Ｆ１）を共有する。
【００３９】
[0056]図８は、例示的なスモールセル展開構成を示す図８００である。図８は、マクロセル８０２およびスモールセル８０４の屋外展開を示している。一態様では、スモールセル８０４は、セル１  ８０５と、セル２  ８０７と、セル３  ８０９とを含み得る。図８では、スモールセル８０４は、バックホールリンク８０８および８１０を通して互いに結合される。さらに、スモールセル８０４は、周到なバックホールリンク８０６マクロセル８０２に結合される。マクロセル８０２とスモールセル８０４とは、地理的に重複し得る。図８の構成では、マクロセル８０２は第１の周波数帯域（たとえば、周波数帯域Ｆ１）を使用し、スモールセル８０４は、第１の周波数帯域とは異なる第２の周波数帯域（たとえば、周波数帯域Ｆ２）を使用する。
【００４０】
[0057]図９は、図８と同様に、例示的なスモールセル展開構成を示す図９００である。図９は、屋外に展開されるマクロセル９０２と、屋内に展開されるスモールセル９０４とを示している。一態様では、スモールセル９０４は、セル１  ９０５と、セル２  ９０７と、セル３  ９０９とを含み得る。図９では、スモールセル９０４は、バックホールリンク９０８および９１０を通して互いに結合される。さらに、スモールセル９０４は、周到なバックホールリンク９０６マクロセル９０２に結合される。図９の構成では、マクロセル９０２は第１の周波数帯域（たとえば、周波数帯域Ｆ１）を使用し、スモールセル９０４は、第１の周波数帯域とは異なる第２の周波数帯域（たとえば、周波数帯域Ｆ２）を使用する。
【００４１】
[0058]図１０は、例示的なスモールセル展開構成を示す図１０００である。図１０は、屋内に展開されるスモールセル１００２を示している。一態様では、スモールセル１００２は、セル１  １００５と、セル２  １００７と、セル３  １００９とを含み得る。図１０では、スモールセル１００２は、バックホールリンク１００４および１００６を通して互いに結合される。図１０の構成では、スモールセル１００２は、第１の周波数帯域（たとえば、周波数帯域Ｆ１）または第２の周波数帯域（たとえば、周波数帯域Ｆ２）のいずれかを使用する。図７〜図１０の構成では、ユーザは、屋外展開と屋内展開のどちらの場合にも分散していることがある。
【００４２】
[0059]（たとえば、基地局とも呼ばれる）セルによって、既存の１次同期信号（ＰＳＳ）、２次同期信号（ＳＳＳ）、および／またはＣＲＳが、発見信号として働くように構成され得る。しかしながら、そのような既存の信号は十分でないことがある。同期展開の下で、異なるセルのＰＳＳおよび／またはＳＳＳが互いに衝突することがある。ＵＥによって検出／発見され得るセルの数は制限され得る。ＰＳＳおよび／またはＳＳＳ干渉消去は、より多くのセルを発見することを可能にするために使用され得、概して、十分と考えられる。ＣＲＳは、限られた再使用（たとえば、最高１／６の再使用係数）を有し、いくつかの多地点協調（ＣｏＭＰ）送信シナリオの場合、送信ポイント（ＴＰ）識別情報を与えないことがある。たとえば、ＣｏＭＰシナリオ４では、マクロセルおよびそれの関連するスモールセルが同じ物理セルＩＤ（ＰＣＩ）を有し得る。ＣＲＳはＰＣＩに依存するので、ＣＲＳは、マクロセルおよびそれの関連するセルの間でＴＰ識別情報を与えることができない。
【００４３】
[0060]一態様では、発見基準信号（ＤＲＳ）は、送信ポイントを識別し、および／またはスモールセルのオン／オフを可能にするように構成され得る。一態様では、セルから送信されたＤＲＳはＰＳＳとＳＳＳの両方を含み得る。他の態様では、ＤＲＳはＣＲＳおよび／またはチャネル状態情報基準信号（ＣＳＩ−ＲＳ）をさらに含み得る。
【００４４】
[0061]一態様では、セルは、ＰＳＳ、ＳＳＳ、および／またはＣＲＳをセルのためのＤＲＳとして働くように構成し得る。一態様では、ＰＳＳ、ＳＳＳ、およびＣＲＳは、すべて、ＵＥによるセル識別を可能にし得る、セルに関連付けられた仮想セルＩＤ（ＶＣＩ）に基づき得る。一態様では、ＶＣＩはセルのＰＣＩとは別に管理され得る。一態様では、ＰＳＳ、ＳＳＳ、およびＣＲＳは、すべて、セルの状態（たとえば、オン状態またはオフ状態）にかかわらず、ＶＣＩに基づき得る。セルのためのＤＲＳとして働くように構成されたＰＳＳ、ＳＳＳ、および／またはＣＲＳは、ＰＣＩに基づくＰＳＳ、ＳＳＳ、および／またはＣＲＳとは異なり得ることに留意されたい。
【００４５】
[0062]別の態様では、セルは、ＣＲＳをセルのためのＤＲＳとして働くように構成し得る。一態様では、ＣＲＳは、ＵＥによるセル識別を可能にし得る、セルに関連付けられたＶＣＩに基づき得る。一態様では、ＶＣＩはセルのＰＣＩとは別に管理され得る。そのような態様では、ＰＳＳおよび／またはＳＳＳは依然としてセルのＰＣＩに基づき得る。一態様では、ＣＲＳは、セルの状態（たとえば、オン状態またはオフ状態）にかかわらず、ＶＣＩに基づき得る。一態様では、（ＰＳＳ／ＳＳＳを介して識別された）ＰＣＩと、（ＣＲＳ中の）ＶＣＩとの間のマッピングは、ＵＥに送られた信号中で明示的に示されるか、またはＵＥにおいて暗黙的に定義されるかのいずれかであり得る。たとえば、ＵＥに送られた信号は、ＰＣＩと１つまたは複数のＶＣＩとの間の関連付けを示し得る。別の例として、暗黙的定義は、ＵＥにおいて記憶されたあらかじめ定義されたマッピングルールであり得る。そのような例では、ＵＥは、以下のマッピングルール、すなわち、｛ＰＣＩ−３、ＰＣＩ−２、ＰＣＩ−１、ＰＣＩ、ＰＣＩ＋１、ＰＣＩ＋２、ＰＣＩ＋３｝を使用して、ＰＣＩに関連付けられた可能なＶＣＩを決定し得る。たとえば、そのようなマッピングルールは、０から５０３までの可能な値の範囲を条件とし得る。
【００４６】
[0063]一態様では、セルは、ＰＳＳ、ＳＳＳ、および／またはＣＲＳをセルのためのＤＲＳとして働くように構成し得、ここで、ＰＳＳ、ＳＳＳ、およびＣＲＳは、すべて、セルに関連付けられたＰＣＩに基づく。そのような態様では、セル識別情報は、少なくともいくつかのＣｏＭＰシナリオの場合、オフにされ得る。前に説明した態様のうちの２つまたはそれ以上が、セルによってＵＥのためにサポートされ、構成可能であり得ることに留意されたい。異なるＵＥが、測定のために同じＤＲＳまたは異なるＤＲＳを使用するように構成され得る。
【００４７】
[0064]一態様では、セルは、ＰＳＳ、ＳＳＳ、および／またはＣＳＩ−ＲＳをセルのためのＤＲＳとして働くように構成し得る。一態様では、ＰＳＳ、ＳＳＳ、およびＣＳＩ−ＲＳは、すべて、ＵＥによるセル識別を可能にし得る、セルに関連付けられた仮想セルＩＤ（ＶＣＩ）に基づき得る。一態様では、ＶＣＩはセルのＰＣＩとは別に管理され得る。一態様では、ＰＳＳ、ＳＳＳ、およびＣＳＩ−ＲＳは、すべて、セルの状態（たとえば、オン状態またはオフ状態）にかかわらず、ＶＣＩに基づき得る。セルのためのＤＲＳとして働くように構成されたＰＳＳ、ＳＳＳ、および／またはＣＳＩ−ＲＳは、ＰＣＩに基づくＰＳＳ、ＳＳＳ、および／またはＣＳＩ−ＲＳとは異なり得ることに留意されたい。
【００４８】
[0065]別の態様では、セルは、ＣＳＩ−ＲＳをセルのためのＤＲＳとして働くように構成し得る。一態様では、ＣＳＩ−ＲＳは、ＵＥによるセル識別を可能にし得る、セルに関連付けられたＶＣＩに基づき得る。一態様では、ＶＣＩはセルのＰＣＩとは別に管理され得る。そのような態様では、ＰＳＳおよび／またはＳＳＳは依然としてセルのＰＣＩに基づき得る。一態様では、ＣＳＩ−ＲＳは、セルの状態（たとえば、オン状態またはオフ状態）にかかわらず、ＶＣＩに基づき得る。一態様では、（ＰＳＳ／ＳＳＳを介して識別された）ＰＣＩと、（ＣＳＩ−ＲＳ中の）ＶＣＩとの間のマッピングは、ＵＥに送られた信号中で明示的に示されるか、またはＵＥにおいて暗黙的に定義されるかのいずれかであり得る。たとえば、ＵＥに送られた信号は、ＰＣＩと１つまたは複数のＶＣＩとの間の関連付けを示し得る。別の例として、暗黙的定義は、ＵＥにおいて記憶されたあらかじめ定義されたマッピングルールであり得る。そのような例では、ＵＥは、以下のマッピングルール、すなわち、｛ＰＣＩ−３、ＰＣＩ−２、ＰＣＩ−１、ＰＣＩ、ＰＣＩ＋１、ＰＣＩ＋２、ＰＣＩ＋３｝を使用して、ＰＣＩに関連付けられた可能なＶＣＩを決定し得る。たとえば、そのようなマッピングルールは、０から５０３までの可能な値の範囲を条件とし得る。
【００４９】
[0066]一態様では、セルは、ＰＳＳ、ＳＳＳ、および／またはＣＳＩ−ＲＳをセルのためのＤＲＳとして働くように構成し得、ここで、ＰＳＳ、ＳＳＳ、およびＣＳＩ−ＲＳは、すべて、セルに関連付けられたＰＣＩに基づく。そのような態様では、セル識別情報は、少なくともいくつかのＣｏＭＰシナリオの場合、オフにされ得る。前に説明した態様のうちの２つまたはそれ以上が、セルによってＵＥのためにサポートされ、構成可能であり得ることに留意されたい。異なるＵＥが、測定のために同じＤＲＳまたは異なるＤＲＳを使用するように構成され得る。
【００５０】
[0067]一態様では、セルは、ＰＳＳ、ＳＳＳ、ＣＲＳ、および／またはＣＳＩ−ＲＳをセルのためのＤＲＳとして働くように構成し得る。一態様では、ＰＳＳ、ＳＳＳ、ＣＲＳ、およびＣＳＩ−ＲＳは、すべて、ＵＥによるセル識別を可能にし得る、セルに関連付けられたＶＣＩに基づき得る。一態様では、ＶＣＩはセルのＰＣＩとは別に管理され得る。一態様では、ＰＳＳ、ＳＳＳ、ＣＲＳ、およびＣＳＩ−ＲＳは、すべて、セルの状態（たとえば、オン状態またはオフ状態）にかかわらず、ＶＣＩに基づき得る。セルのためのＤＲＳとして働くように構成されたＰＳＳ、ＳＳＳ、ＣＲＳ、および／またはＣＳＩ−ＲＳは、ＰＣＩに基づくＰＳＳ、ＳＳＳ、ＣＲＳ、および／またはＣＳＩ−ＲＳとは異なり得ることに留意されたい。
【００５１】
[0068]別の態様では、セルは、ＣＳＩ−ＲＳをセルのためのＤＲＳとして働くように構成し得る。一態様では、ＣＳＩ−ＲＳは、ＵＥによるセル識別を可能にし得る、セルに関連付けられたＶＣＩに基づき得る。一態様では、ＶＣＩはセルのＰＣＩとは別に管理され得る。そのような態様では、ＰＳＳ、ＳＳＳ、および／またはＣＲＳは依然としてセルのＰＣＩに基づき得る。一態様では、ＣＳＩ−ＲＳは、セルの状態（たとえば、オン状態またはオフ状態）にかかわらず、ＶＣＩに基づき得る。一態様では、（ＰＳＳ／ＳＳＳ／ＣＲＳを介して識別された）ＰＣＩと、（ＣＳＩ−ＲＳ中の）ＶＣＩとの間のマッピングは、ＵＥに送られた信号中で明示的に示されるか、またはＵＥにおいて暗黙的に定義されるかのいずれかであり得る。たとえば、ＵＥに送られた信号は、ＰＣＩと１つまたは複数のＶＣＩとの間の関連付けを示し得る。別の例として、暗黙的定義は、ＵＥにおいて記憶されたあらかじめ定義されたマッピングルールであり得る。そのような例では、ＵＥは、以下のマッピングルール、すなわち、｛ＰＣＩ−３、ＰＣＩ−２、ＰＣＩ−１、ＰＣＩ、ＰＣＩ＋１、ＰＣＩ＋２、ＰＣＩ＋３｝を使用して、ＰＣＩに関連付けられた可能なＶＣＩを決定し得る。たとえば、そのようなマッピングルールは、０から５０３までの可能な値の範囲を条件とし得る。
【００５２】
[0069]別の態様では、セルは、ＣＳＩ−ＲＳおよび／またはＣＲＳをセルのためのＤＲＳとして働くように構成し得る。一態様では、ＣＳＩ−ＲＳおよび／またはＣＲＳは、ＵＥによるセル識別を可能にし得る、セルに関連付けられたＶＣＩに基づき得る。一態様では、ＶＣＩはセルのＰＣＩとは別に管理され得る。そのような態様では、ＰＳＳおよび／またはＳＳＳは依然としてセルのＰＣＩに基づき得る。一態様では、ＣＳＩ−ＲＳおよび／またはＣＲＳは、セルの状態（たとえば、オン状態またはオフ状態）にかかわらず、ＶＣＩに基づき得る。一態様では、（ＰＳＳ／ＳＳＳを介して識別された）ＰＣＩと、（ＣＳＩ−ＲＳおよび／またはＣＲＳ中の）ＶＣＩとの間のマッピングは、ＵＥに送られた信号中で明示的に示されるか、またはＵＥにおいて暗黙的に定義されるかのいずれかであり得る。たとえば、ＵＥに送られた信号は、ＰＣＩと１つまたは複数のＶＣＩとの間の関連付けを示し得る。別の例として、暗黙的定義は、ＵＥにおいて記憶されたあらかじめ定義されたマッピングルールであり得る。そのような例では、ＵＥは、以下のマッピングルール、すなわち、｛ＰＣＩ−３、ＰＣＩ−２、ＰＣＩ−１、ＰＣＩ、ＰＣＩ＋１、ＰＣＩ＋２、ＰＣＩ＋３｝を使用して、ＰＣＩに関連付けられた可能なＶＣＩを決定し得る。たとえば、そのようなマッピングルールは、０から５０３までの可能な値の範囲を条件とし得る。
【００５３】
[0070]一態様では、セルは、ＰＳＳ、ＳＳＳ、ＣＲＳ、および／またはＣＳＩ−ＲＳをセルのためのＤＲＳとして働くように構成し得、ここで、ＰＳＳ、ＳＳＳ、ＣＲＳ、および／またはＣＳＩ−ＲＳは、すべて、セルに関連付けられたＰＣＩに基づく。そのような態様では、セル識別情報は、少なくともいくつかのＣｏＭＰシナリオの場合、オフにされ得る。前に説明した態様のうちの２つまたはそれ以上が、セルによってＵＥのためにサポートされ、構成可能であり得ることに留意されたい。異なるＵＥが、測定のために同じＤＲＳまたは異なるＤＲＳを使用するように構成され得る。
【００５４】
[0071]一態様では、セルがＰＳＳ、ＳＳＳ、ＣＲＳ、および／またはＣＳＩ−ＲＳをＤＲＳとして働くように構成するとき、ＣＲＳの周期性は、セルのオフ状態およびオン状態におけるＣＳＩ−ＲＳの周期性とは異なるように構成され得る。ＣＳＩ−ＲＳ上の無線リソース管理（ＲＲＭ）測定は別々に構成され得る。一態様では、ＵＥは、ＰＳＳ、ＳＳＳ、および／またはＣＲＳに基づいて、基準信号受信電力（ＲＳＲＰ）および／または基準信号受信品質（ＲＳＲＱ）を報告し得る。別の態様では、ＵＥは、ＣＳＩ−ＲＳに基づいて、ＲＳＲＰおよび／またはＲＳＲＱを報告し得る。一態様では、ＵＥは、ＣＳＩ−ＲＳに基づいてチャネル状態情報（ＣＳＩ）フィードバックのみを送り、ＲＳＲＰおよび／またはＲＳＲＱを報告しないように構成され得る。
【００５５】
[0072]一態様では、セルＩＤ管理はセルの状態（たとえば、オン状態またはオフ状態）に依存しないことがある。別の態様では、セルＩＤ管理および／またはＤＲＳはセルの状態に依存し得る。たとえば、セルがオフ状態にある場合、ＤＲＳは、セルに対応するＶＣＩに基づいて送信され得る。代替的に、セルがオン状態にある場合、ＤＲＳは、セルのＰＣＩに基づいて送信され得る。たとえば、セルがオフ状態にある場合は、ＰＳＳ／ＳＳＳ／ＣＲＳがセルのためのＤＲＳとして使用され得、セルがオン状態にある場合は、ＰＳＳ／ＳＳＳ／ＣＳＩ−ＲＳがセルのためのＤＲＳとして使用され得る。
【００５６】
[0073]一態様では、セルがＣＳＩ−ＲＳをＤＲＳとして働くように構成するとき、ＣＳＩ−ＲＳのための単一の構成が使用され得る。代替的に、ＣＳＩ−ＲＳのための２つまたはそれ以上の構成が使用され得、ここで、各構成はそれ自体のセルＩＤ管理を有し得る。一態様では、ＵＥは、ＣＳＩ−ＲＳの２つまたはそれ以上の構成が同じセル識別子を伴うとき、２つまたはそれ以上の構成に基づいて、ＲＳＲＰ、ＲＳＲＱ、および／またはＣＳＩを一緒に報告し得るか、またはＣＳＩ−ＲＳの２つまたはそれ以上の構成が異なるセル識別子を伴うとき、２つまたはそれ以上の構成に基づいて、ＲＳＲＰ、ＲＳＲＱ、および／またはＣＳＩを別々に報告し得る。
【００５７】
[0074]一態様では、ＵＥは、ＤＲＳサブフレームとは異なるサブフレーム中のＲＳＳＩを測定し得る。たとえば、ＵＥは、ＤＲＳサブフレームの直前のサブフレーム中のＲＳＳＩを測定し得る。別の態様では、ＤＲＳが狭帯域である場合、ＵＥは、同じサブフレーム中のＤＲＳサブバンドとは異なるサブバンド中のＲＳＳＩを測定し得る。一態様では、ＵＥは、いずれのサブフレームおよび／またはいずれのサブバンドが、ＲＳＲＱ報告のためのＲＳＳＩ測定のために使用されるべきであるかの指示を受信し得る。
【００５８】
[0075]一態様では、オフ状態にあるセルについてのＲＳＲＱ測定のためのサブフレームは、オン状態にあるセルの場合と同じサブフレームであり得る。代替的に、セルの状態（たとえば、オン状態またはオフ状態）がＵＥに示される場合、異なるサブフレームおよび／または機構（たとえば、ＤＲＳに基づくオフ状態およびＣＲＳに基づくオン状態）が、セルのためのオン状態およびオフ状態のために使用され得る。
【００５９】
[0076]図１１Ａおよび図１１Ｂは、ワイヤレス通信の方法のフローチャート１１００である。本方法はＵＥ（たとえば、装置１３０２／１３０２’）によって実行され得る。フローチャート１１００中で破線によって示されているステップは、随意のステップを表すことを理解されたい。
【００６０】
[0077]ステップ１１０２において、ＵＥは、測定を実行するための基準信号の構成の指示を受信する。
【００６１】
[0078]ステップ１１０４において、ＵＥは、測定を実行するためのサブフレームのセットの指示をネットワーク（たとえば、セルまたは基地局）から受信する。
【００６２】
[0079]ステップ１１０６において、ＵＥは、測定のためのＶＣＩのセットをネットワークから受信する。
【００６３】
[0080]ステップ１１０８において、ＵＥは、ＲＳＲＱの測定のための少なくとも１つのサブフレームまたはサブフレームのサブバンドを決定する。一態様では、少なくとも１つのサブフレームまたはサブフレームのサブバンドは、発見のために構成された１つまたは複数の基準信号を含まない。たとえば、少なくとも１つのサブフレームまたはサブフレームのサブバンドの決定は、ネットワークからのシグナリングに基づき得る。一態様では、ＵＥによるＲＳＲＱの測定は、ＵＥによって決定された少なくとも１つのサブフレームまたはサブフレームのサブバンド中のＲＳＳＩを測定することを含む。
【００６４】
[0081]ステップ１１１０において、ＵＥは、ＵＥによって基地局の測定を実行するために構成された１つまたは複数の基準信号を受信する。一態様では、１つまたは複数の基準信号は、基地局がオフ状態またはオン状態にあるときに受信される。
【００６５】
[0082]一態様では、基準信号はＰＳＳ、ＳＳＳ、および／またはＣＲＳを含み得る。一態様では、ＰＳＳ、ＳＳＳ、および／またはＣＲＳは、基地局に関連付けられたＶＣＩに対応し得る。別の態様では、ＰＳＳおよびＳＳＳは基地局に関連付けられたＰＣＩに対応し得、ＰＣＩと組み合わせたＣＲＳは少なくとも１つのＶＣＩに対応し得る。
【００６６】
[0083]別の態様では、基準信号は、ＰＳＳ、ＳＳＳ、および／またはＣＳＩ−ＲＳを含み得る。一態様では、ＰＳＳ、ＳＳＳ、および／またはＣＳＩ−ＲＳは、基地局に関連付けられたＶＣＩに対応し得る。別の態様では、ＰＳＳおよびＳＳＳは基地局に関連付けられたＰＣＩに対応し得、ＰＣＩと組み合わせたＣＳＩ−ＲＳは少なくとも１つのＶＣＩに対応し得る。
【００６７】
[0084]別の態様では、基準信号は、ＰＳＳ、ＳＳＳ、ＣＲＳ、および／またはＣＳＩ−ＲＳを含み得る。一態様では、ＰＳＳ、ＳＳＳ、ＣＲＳ、および／またはＣＳＩ−ＲＳは、基地局に関連付けられたＶＣＩに対応し得る。別の態様では、ＰＳＳ、ＳＳＳ、およびＣＲＳは基地局に関連付けられたＰＣＩに対応し得、ＰＣＩと組み合わせたＣＳＩ−ＲＳは少なくとも１つのＶＣＩに対応し得る。一態様では、ＣＲＳの周期性はＣＳＩ−ＲＳの周期性とは異なり得る。
【００６８】
[0085]ステップ１１１２において、ＵＥは、ＰＣＩと少なくとも１つのＶＣＩとの間のマッピングを受信する。
【００６９】
[0086]ステップ１１１４において、ＵＥは、受信された１つまたは複数の基準信号に基づいて、基地局に関連付けられたＶＣＩを決定する。
【００７０】
[0087]ステップ１１１６において、ＵＥは、基地局の状態（たとえば、オン状態またはオフ状態）を決定し、基地局の状態に応じて基地局の測定を実行する。
【００７１】
[0088]ステップ１１１８において、ＵＥは、ＣＲＳまたはＣＳＩ−ＲＳのうちの少なくとも１つに基づいて、ＲＳＲＰおよび／またはＲＳＲＱを決定する。
【００７２】
[0089]ステップ１１２０において、ＵＥはＲＳＲＰおよび／またはＲＳＲＱを基地局に報告する。
【００７３】
[0090]ステップ１１２２において、ＵＥはＲＳＲＰおよび／またはＲＳＲＱを報告することを抑制する。
【００７４】
[0091]ステップ１１２４において、ＵＥは、ＣＳＩ−ＲＳに基づいて、ＣＳＩを基地局に報告する。
【００７５】
[0092]ステップ１１２６において、ＵＥは、第１のセル識別子が第２のセル識別子とは異なるとき、ＣＳＩ−ＲＳの第１および第２の構成に基づいて、ＲＳＲＰ、ＲＳＲＱ、および／またはＣＳＩを別々に報告する。
【００７６】
[0093]ステップ１１２８において、ＵＥは、第１のセル識別子が第２のセル識別子と同じであるとき、ＣＳＩ−ＲＳの第１および第２の構成に基づいて、ＲＳＲＰ、ＲＳＲＱ、および／またはＣＳＩを一緒に報告する。
【００７７】
[0094]ステップ１１２０、１１２２、１１２４、１１２６、および／または１１２８は、個々に実行され得ることを理解されたい。たとえば、ＵＥがステップ１１２０を実行する場合、ＵＥはステップ１１２２、１１２４、１１２６、および１１２８を実行しないことがある。別の例として、ＵＥがステップ１１２２および１１２４を実行する場合、ＵＥはステップ１１２０、１１２６、および１１２８を実行しないことがある。
【００７８】
[0095]図１２Ａおよび図１２Ｂは、ワイヤレス通信の方法のフローチャート１２００である。本方法はＵＥ（たとえば、装置１３０２／１３０２’）によって実行され得る。フローチャート１２００中で破線によって示されているステップは、随意のステップを表すことを理解されたい。
【００７９】
[0096]ステップ１２０２において、ＵＥは、基地局測定を実行するための基準信号構成の指示を受信する。基地局測定は基地局のためのＤＲＳを演算し得る。さらに、基準信号構成は、構成に基づいてＤＲＳを送信する基地局、別のサービング基地局、またはネットワーク内のブロードキャストによって与えられ得る。
【００８０】
[0097]ステップ１２０４において、ＵＥは、基地局測定を実行するためのサブフレームのセットの指示を受信する。一態様では、ＵＥは、ネットワーク（たとえば、セルまたは基地局）から指示を受信し得る。指示は、ＤＲＳのためのサブフレームのセットを使用する基地局、別のサービング基地局、またはネットワーク内のブロードキャストによって与えられ得る。
【００８１】
[0098]ステップ１２０６において、ＵＥは、基地局測定のための少なくとも１つのサブフレームまたはサブフレームのサブバンドを決定する。
【００８２】
[0099]ステップ１２０８において、ＵＥは、ＵＥによって基地局測定を実行するために構成された第１の基準信号を受信し、ここで、第１の基準信号はＰＣＩに基づく。たとえば、第１の基準信号はＰＳＳ、ＳＳＳ、またはＣＲＳであり得る。
【００８３】
[00100]ステップ１２１０において、ＵＥは、ＵＥによる測定のために構成された１つまたは複数の第２の基準信号を受信し、ここで、１つまたは複数の第２の基準信号の各々は、ＰＣＩに関連付けられたＶＣＩに基づく。たとえば、１つまたは複数の第２の基準信号はＣＳＩ−ＲＳであり得る。一態様では、１つまたは複数の第２の基準信号の各々のためのＶＣＩは、サービング基地局からＵＥにシグナリングされる。一態様では、第１の基準信号および１つまたは複数の第２の基準信号は、基地局がオフ状態またはオン状態にあるときに受信される。
【００８４】
[00101]ステップ１２１２において、ＵＥは、ＰＣＩと１つまたは複数の第２の基準信号の各々のためのＶＣＩとの間のマッピングを受信する。代替的に、ＵＥは、１つまたは複数の第２の基準信号の各々のためのＶＣＩの明示的指示を受信し得る。
【００８５】
[00102]ステップ１２１４において、ＵＥは基地局の状態を決定する。たとえば、基地局の状態はオフ状態またはオン状態であり得る。
【００８６】
[00103]ステップ１２１６において、ＵＥは基地局測定を実行する。一態様では、ＵＥによって実行される基地局測定は基地局の状態に基づく。一態様では、基地局測定は、第１の基準信号および／または１つまたは複数の第２の基準信号に基づくＲＳＲＰまたはＲＳＲＱの決定を含み得る。たとえば、ＲＳＲＱの測定は、決定された少なくとも１つのサブフレームまたはサブフレームのサブバンド中のＲＳＳＩを測定することを含み得る。一態様では、基地局測定を実行することは、少なくとも１つのサブフレームまたはサブバンドに基づくＲＳＲＱの決定を含む。
【００８７】
[00104]ステップ１２１８において、ＵＥはＲＳＲＰおよび／またはＲＳＲＱを基地局またはそれのサービング基地局に報告する。
【００８８】
[00105]ステップ１２２０において、ＵＥは、１つまたは複数の第２の基準信号に基づいて、ＲＳＲＰおよび／またはＲＳＲＱを報告することを抑制する。
【００８９】
[00106]ステップ１２２２において、ＵＥは、１つまたは複数の第２の基準信号に基づいて、ＣＳＩを基地局またはそれのサービング基地局に報告する。
【００９０】
[00107]ステップ１２１８ならびにステップ１２２０および１２２２は、個々に実行され得ることを理解されたい。たとえば、ＵＥがステップ１２１８を実行する場合、ＵＥはステップ１２２０および１２２２を実行しないことがある。異なる実装形態は、ＵＥに、情報の異なる組合せを報告させ得る。
【００９１】
[00108]一態様では、ＵＥが構成情報を受信するステップ（たとえば、図１１Ａ中のステップ１１０２〜１１０６ならびに／または図１２Ａ中のステップ１２０２および１２０４）は、ＵＥとＵＥのサービングセルとの間の通信を含み得る。たとえば、ＵＥのサービングセルは、スモールセルがオン状態にあり、ＵＥをサービスしている場合、スモールセルであり得る。別の例として、サービングセルは、スモールセルがＵＥをサービスしていない場合、ネイバリングセルであり得る。別の態様では、ＵＥが構成情報を受信するステップは、領域内のネットワークによってブロードキャストされ、ＵＥによって受信された通信を含み得る。
【００９２】
[00109]一態様では、ＵＥが測定値を報告するステップ（たとえば、図１１Ｂ中のステップ１１２０〜１１２８ならびに／または図１２Ｂ中のステップ１２１８および１２２２）は、測定値（たとえば、ＣＳＩ、ＲＳＲＱ、および／またはＲＳＲＰ）をＵＥのサービングセルに報告することを含み得る。たとえば、サービングセルは、スモールセルがオン状態にあり、ＵＥをサービスしている場合、スモールセルであり得る。別の例として、サービングセルは、スモールセルがＵＥをサービスしていない場合、ネイバリングセルであり得る。
【００９３】
[00110]図１３は、例示的な装置１３０２中の異なるモジュール／手段／構成要素間のデータフローを示す概念データフロー図１３００である。本装置はＵＥであり得る。受信モジュール１３０４は、測定を実行するためのサブフレームのセットの指示１３２４をネットワークから受信し、ＵＥによって基地局の測定を実行するために構成された１つまたは複数の基準信号１３２５を受信し、ＰＣＩと少なくとも１つのＶＣＩとの間のマッピング１３２６を受信し、測定のためのＶＣＩのセット１３２８をネットワークから受信し、測定を実行するための基準信号の構成の指示１３３０を受信する。一態様では、決定モジュール１３０６は、１つまたは複数の基準信号を含む信号１３１４を受信し、受信された１つまたは複数の基準信号に基づいて、基地局に関連付けられたＶＣＩを決定する。一態様では、決定モジュール１３０６は、サブフレームのセットの指示を含む信号１３１４を受信し、ＲＳＲＱの測定のための少なくとも１つのサブフレームまたはサブフレームのサブバンドを決定する。一態様では、決定モジュール１３０６は、１つまたは複数の基準信号を含む信号１３１４を受信し、ＣＲＳまたはＣＳＩ−ＲＳのうちの少なくとも１つに基づいて、ＲＳＲＰおよび／またはＲＳＲＱを決定する。一態様では、決定モジュール１３０６は、基地局１３５０の状態を決定し、基地局の状態に応じて基地局の測定を実行する。報告モジュール１３０８は、決定モジュール１３０６から決定１３２２を受信し、報告信号１３２０を送る。報告信号１３２０は、送信モジュール１３１２によって受信され、送信モジュール１３１２は信号１３３２を基地局に送る。信号１３３２は、ＲＳＲＰおよび／またはＲＳＲＱを基地局に報告するか、ＣＳＩ−ＲＳに基づいてＣＳＩを基地局に報告するか、第１のセル識別子が第２のセル識別子とは異なるとき、ＣＳＩ−ＲＳの第１および第２の構成に基づいて、ＲＳＲＰ、ＲＳＲＱ、および／またはＣＳＩを別々に報告するか、あるいは第１のセル識別子が第２のセル識別子と同じであるとき、ＣＳＩ−ＲＳの第１および第２の構成に基づいて、ＲＳＲＰ、ＲＳＲＱ、および／またはＣＳＩを一緒に報告する。抑制モジュール１３１０は、決定１３１６を決定モジュール１３０６から受信し、ＲＳＲＰおよび／またはＲＳＲＱを報告することを報告モジュール１３０８に抑制させる抑制信号１３１８を与える。
【００９４】
[00111]一態様では、基地局１３５０はＵＥのサービングセルであり得る。たとえば、ＵＥのサービングセルは、スモールセルがオン状態にあり、ＵＥをサービスしている場合、スモールセルであり得る。別の例として、サービングセルは、スモールセルがＵＥをサービスしていない場合、ネイバリングセルであり得る。別の態様では、受信モジュール１３０４は、ネットワークからのブロードキャストにおいて構成情報（たとえば、サブフレームの指示１３２４、ＶＣＩのセット１３２８）を受信するように構成され得る。
【００９５】
[00112]一態様では、報告モジュール１３０８は、報告測定値（たとえば、ＣＳＩ、ＲＳＲＱ、および／またはＲＳＲＰ）を含み得る測定値（たとえば、信号１３３２）を、ＵＥのサービングセル（たとえば、基地局１３５０）に報告し得る。たとえば、サービングセルは、スモールセルがオン状態にあり、ＵＥをサービスしている場合、スモールセルであり得る。別の例として、サービングセルは、スモールセルがＵＥをサービスしていない場合、（図１３に示されていない）ネイバリングセルであり得る。
【００９６】
[00113]本装置は、図１１Ａ、図１１Ｂおよび図１２Ａ、図１２Ｂの上述のフローチャート中のアルゴリズムのステップの各々を実行する追加のモジュールを含み得る。したがって、図１１Ａ、図１１Ｂおよび図１２Ａ、図１２Ｂの上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９７】
[00114]図１４は、処理システム１４１４を採用する装置１３０２’のためのハードウェア実装形態の一例を示す図１４００である。処理システム１４１４は、バス１４２４によって概略的に表されるバスアーキテクチャを用いて実装され得る。バス１４２４は、処理システム１４１４の特定の適用例および全体的な設計制約に応じて、任意の数の相互接続バスおよびブリッジを含み得る。バス１４２４は、プロセッサ１４０４によって表される１つまたは複数のプロセッサおよび／またはハードウェアモジュールと、モジュール１３０４、１３０６、１３０８、１３１０、および１３１２と、コンピュータ可読媒体／メモリ１４０６とを含む様々な回路を互いにリンクする。バス１４２４はまた、タイミングソース、周辺機器、電圧調整器、および電力管理回路など、様々な他の回路をリンクし得るが、これらの回路は当技術分野においてよく知られており、したがって、これ以上説明しない。
【００９８】
[00115]処理システム１４１４はトランシーバ１４１０に結合され得る。トランシーバ１４１０は１つまたは複数のアンテナ１４２０に結合される。トランシーバ１４１０は、伝送媒体を介して様々な他の装置と通信するための手段を与える。トランシーバ１４１０は、１つまたは複数のアンテナ１４２０から信号を受信し、受信された信号から情報を抽出し、抽出された情報を処理システム１４１４、特に受信モジュール１３０４に与える。さらに、トランシーバ１４１０は、処理システム１４１４、特に送信モジュール１３１２から情報を受信し、受信された情報に基づいて、１つまたは複数のアンテナ１４２０に適用されるべき信号を生成する。処理システム１４１４は、コンピュータ可読媒体／メモリ１４０６に結合されたプロセッサ１４０４を含む。プロセッサ１４０４は、コンピュータ可読媒体／メモリ１４０６に記憶されたソフトウェアの実行を含む一般的な処理を担当する。ソフトウェアは、プロセッサ１４０４によって実行されたとき、処理システム１４１４に、特定の装置のための上記で説明した様々な機能を実行させる。コンピュータ可読媒体／メモリ１４０６はまた、ソフトウェアを実行するときにプロセッサ１４０４によって操作されるデータを記憶するために使用され得る。処理システムは、モジュール１３０４、１３０６、１３０８、１３１０、および１３１２のうちの少なくとも１つをさらに含む。それらのモジュールは、プロセッサ１４０４中で動作し、コンピュータ可読媒体／メモリ１４０６中に常駐する／記憶されたソフトウェアモジュールであるか、プロセッサ１４０４に結合された１つまたは複数のハードウェアモジュールであるか、またはそれらの何らかの組合せであり得る。処理システム１４１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００９９】
[00116]一構成では、ワイヤレス通信のための装置１３０２／１３０２’は、ＵＥによって基地局の測定を実行するために構成された１つまたは複数の基準信号を受信するための手段、受信された１つまたは複数の基準信号に基づいて、基地局に関連付けられたＶＣＩを決定するための手段、ＰＣＩと少なくとも１つのＶＣＩとの間のマッピングを受信するための手段、ＣＲＳまたはＣＳＩ−ＲＳのうちの少なくとも１つに基づいて、ＲＳＲＰおよび／またはＲＳＲＱを決定するための手段、ＲＳＲＰおよび／またはＲＳＲＱを基地局に報告するための手段、ＲＳＲＰおよび／またはＲＳＲＱを報告することを抑制するための手段、ＣＳＩ−ＲＳに基づいて、ＣＳＩを基地局に報告するための手段、基地局の状態を決定し、基地局の状態に応じて基地局の測定を実行するための手段、ここにおいて、局の状態は、オフ状態またはオン状態を備える、第１のセル識別子が第２のセル識別子とは異なるとき、ＣＳＩ−ＲＳの第１および第２の構成に基づいて、ＲＳＲＰ、ＲＳＲＱ、および／またはＣＳＩを別々に報告するための手段、第１のセル識別子が第２のセル識別子と同じであるとき、ＣＳＩ−ＲＳの第１および第２の構成に基づいて、ＲＳＲＰ、ＲＳＲＱ、および／またはＣＳＩを一緒に報告するための手段、ＲＳＲＱの測定のための少なくとも１つのサブフレームまたはサブフレームのサブバンドを決定するための手段、測定のためのＶＣＩのセットをネットワークから受信するための手段、測定を実行するためのサブフレームのセットの指示をネットワークから受信するための手段、測定を実行するための基準信号の構成の指示を受信するための手段を含む。上述の手段は、上述の手段によって具陳された機能を実行するように構成された、装置１３０２の上述のモジュールおよび／または装置１３０２’の処理システム１４１４のうちの１つまたは複数であり得る。上記で説明したように、処理システム１４１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成された、ＴＸプロセッサ６６８と、ＲＸプロセッサ６５６と、コントローラ／プロセッサ６５９とであり得る。
【０１００】
[00117]図１５Ａおよび図１５Ｂは、ワイヤレス通信の方法のフローチャート１５００である。本方法は基地局（たとえば、装置１７０２／１７０２’）によって実行され得る。フローチャート１５００中で破線によって示されているステップは、随意のステップを表すことを理解されたい。
【０１０１】
[00118]ステップ１５０２において、基地局は、少なくとも１つのＵＥによって測定を実行するための基準信号の構成の指示を送信する。
【０１０２】
[00119]ステップ１５０４において、基地局は、少なくとも１つのＵＥによって測定を実行するために、サブフレームのセットの指示を少なくとも１つのＵＥに送信する。
【０１０３】
[00120]ステップ１５０６において、基地局は、少なくとも１つのＵＥによる測定のために、ＶＣＩのセットを少なくとも１つのＵＥに送信する。
【０１０４】
[00121]ステップ１５０８において、基地局は、少なくとも１つのＵＥが基地局の測定を実行することを可能にするように構成された１つまたは複数の基準信号を生成する。
【０１０５】
[00122]ステップ１５１０において、基地局は１つまたは複数の基準信号を送信し、ここで、１つまたは複数の基準信号のうちの少なくとも１つは、基地局に関連付けられた少なくとも１つのＶＣＩに基づいて送信される。一態様では、基準信号はＰＳＳ、ＳＳＳ、および／またはＣＲＳを含み得る。一態様では、ＰＳＳ、ＳＳＳ、および／またはＣＲＳは、基地局に関連付けられたＶＣＩに対応し得る。別の態様では、ＰＳＳおよびＳＳＳは基地局に関連付けられたＰＣＩに対応し得、ＰＣＩと組み合わせたＣＲＳは少なくとも１つのＶＣＩに対応し得る。
【０１０６】
[00123]別の態様では、基準信号は、ＰＳＳ、ＳＳＳ、および／またはＣＳＩ−ＲＳを含み得る。一態様では、ＰＳＳ、ＳＳＳ、および／またはＣＳＩ−ＲＳは、基地局に関連付けられたＶＣＩに対応し得る。別の態様では、ＰＳＳおよびＳＳＳは基地局に関連付けられたＰＣＩに対応し得、ＰＣＩと組み合わせたＣＳＩ−ＲＳは少なくとも１つのＶＣＩに対応し得る。
【０１０７】
[00124]別の態様では、基準信号は、ＰＳＳ、ＳＳＳ、ＣＲＳ、および／またはＣＳＩ−ＲＳを含み得る。一態様では、ＰＳＳ、ＳＳＳ、ＣＲＳ、および／またはＣＳＩ−ＲＳは、基地局に関連付けられたＶＣＩに対応し得る。別の態様では、ＰＳＳ、ＳＳＳ、およびＣＲＳは基地局に関連付けられたＰＣＩに対応し得、ＰＣＩと組み合わせたＣＳＩ−ＲＳは少なくとも１つのＶＣＩに対応し得る。一態様では、ＣＲＳの周期性はＣＳＩ−ＲＳの周期性とは異なり得る。
【０１０８】
[00125]ステップ１５１２において、基地局は、ＰＣＩと少なくとも１つのＶＣＩとの間のマッピングを送信する。
【０１０９】
[00126]ステップ１５１４において、基地局は、基地局の状態（たとえば、オン状態またはオフ状態）を少なくとも１つのＵＥに送信する。
【０１１０】
[00127]ステップ１５１６において、基地局は、ＲＳＲＰおよび／またはＲＳＲＱを少なくとも１つのＵＥから受信する。
【０１１１】
[00128]ステップ１５１８において、基地局は、ＣＳＩ−ＲＳに基づいて、ＣＳＩを少なくとも１つのＵＥから受信する。
【０１１２】
[00129]ステップ１５２０において、基地局は、第１のセル識別子が第２のセル識別子とは異なるとき、ＣＳＩ−ＲＳの第１および第２の構成に基づいて、ＲＳＲＰ、ＲＳＲＱ、および／またはＣＳＩを別々に受信する。
【０１１３】
[00130]ステップ１５２２において、基地局は、第１のセル識別子が第２のセル識別子と同じであるとき、ＣＳＩ−ＲＳの第１および第２の構成に基づいて、ＲＳＲＰ、ＲＳＲＱ、および／またはＣＳＩを一緒に受信する。
【０１１４】
[00131]ステップ１５１６、１５１８、１５２０、および／または１５２２は、個々に実行され得ることを理解されたい。たとえば、基地局がステップ１５１６を実行する場合、基地局はステップ１５１８、１５２０、および１５２２を実行しないことがある。
【０１１５】
[00132]図１６Ａおよび図１６Ｂは、ワイヤレス通信の方法のフローチャート１６００である。本方法は基地局（たとえば、装置１７０２／１７０２’）によって実行され得る。フローチャート１６００中で破線によって示されているステップは、随意のステップを表すことを理解されたい。
【０１１６】
[00133]ステップ１６０２において、基地局は、基地局測定を実行するための基準信号構成の指示を送信する。一態様では、基準信号構成は、ＣＲＳまたはＣＳＩ−ＲＳのうちの少なくとも１つを識別する。
【０１１７】
[00134]ステップ１６０４において、基地局は、少なくとも１つのサブフレームまたはサブフレームのサブバンドを少なくとも１つのＵＥに示す。
【０１１８】
[00135]ステップ１６０６において、基地局は、１つまたは複数の第２の基準信号の各々のためのＶＣＩを送信する。
【０１１９】
[00136]ステップ１６０８において、基地局は、少なくとも１つのＵＥによる基地局測定を可能にするように構成された第１の基準信号を生成し、ここで、第１の基準信号はＰＣＩに基づく。一態様では、第１の基準信号はＰＳＳ、ＳＳＳ、および／またはＣＲＳであり得る。
【０１２０】
[00137]ステップ１６１０において、基地局は、少なくとも１つのＵＥによる測定を可能にするように構成された１つまたは複数の第２の基準信号を生成し、ここで、１つまたは複数の第２の基準信号の各々は、ＰＣＩに関連付けられたＶＣＩに基づく。一態様では、１つまたは複数の第２の基準信号の各々はＣＳＩ−ＲＳであり得る。
【０１２１】
[00138]ステップ１６１２において、基地局は、第１の基準信号と１つまたは複数の第２の基準信号とを送信する。
【０１２２】
[00139]ステップ１６１４において、基地局は、基地局の状態を少なくとも１つのＵＥに送信する。たとえば、基地局の状態はオフ状態またはオン状態であり得る。一態様では、第１の基準信号および１つまたは複数の第２の基準信号は、基地局がオフ状態またはオン状態にあるときに送信される。
【０１２３】
[00140]ステップ１６１６において、基地局は、ＲＳＲＰおよび／またはＲＳＲＱを少なくとも１つのＵＥから受信する。一態様では、ＲＳＲＱは少なくとも１つのサブフレームまたはサブフレームのサブバンド中のＲＳＳＩに基づく。
【０１２４】
[00141]ステップ１６１８において、基地局は、１つまたは複数の第２の基準信号に基づいて、ＣＳＩを少なくとも１つのＵＥから受信する。
【０１２５】
[00142]ステップ１６１８および１６２０は個々に実行され得ることを理解されたい。たとえば、基地局がステップ１６１８を実行する場合、基地局はステップ１６２０を実行しないことがある。
【０１２６】
[00143]一態様では、基地局が構成情報を送信するステップ（たとえば、図１５Ａ中のステップ１５０２〜１５０６、および／または図１６Ａ中のステップ１６０２〜１６０６）は、基地局と基地局によってサービスされているＵＥとの間の通信を含み得る。たとえば、基地局は、スモールセルがオン状態にあり、ＵＥをサービスしている場合、スモールセルであり得る。別の例として、基地局は、スモールセルがＵＥをサービスしていない場合、ネイバリングセルであり得る。別の態様では、基地局が構成情報を送信するステップは、基地局によってブロードキャストされる通信を含み得る。
【０１２７】
[00144]一態様では、基地局がＵＥによって報告された測定値を受信するステップ（たとえば、図１５Ｂ中のステップ１５１６〜１５２２ならびに／または図１６Ｂ中のステップ１６１８および１６２０）は、ＵＥのサービングセルである基地局において、測定値（たとえば、ＣＳＩ、ＲＳＲＱ、および／またはＲＳＲＰ）をＵＥから受信することを含み得る。たとえば、サービングセルは、スモールセルがオン状態にあり、ＵＥをサービスしている場合、スモールセルであり得る。別の例として、サービングセルは、スモールセルがＵＥをサービスしていない場合、ネイバリングセルであり得る。
【０１２８】
[00145]図１７は、例示的な装置１７０２中の異なるモジュール／手段／構成要素間のデータフローを示す概念データフロー図１７００である。本装置は基地局であり得る。受信モジュール１７０４は、１つまたは複数のアップリンク信号１７２２をＵＥ１７１４から受信する。一態様では、受信モジュール１７０４は、ＣＲＳまたはＣＳＩ−ＲＳのうちの少なくとも１つに基づいて、ＲＳＲＰおよび／またはＲＳＲＱをＵＥから受信し、ＣＳＩ−ＲＳに基づいてＣＳＩをＵＥから受信し、第１のセル識別子が第２のセル識別子とは異なるとき、ＣＳＩ−ＲＳの第１および第２の構成に基づいて、ＲＳＲＰ、ＲＳＲＱ、および／またはＣＳＩを別々に受信し、第１のセル識別子が第２のセル識別子と同じであるとき、ＣＳＩ−ＲＳの第１および第２の構成に基づいて、ＲＳＲＰ、ＲＳＲＱ、および／またはＣＳＩを一緒に受信する。ＶＣＩマッピングモジュール１７０６は、送信モジュール１７１２を介して、ＰＣＩと少なくとも１つのＶＣＩとの間のマッピング１７１６を送信する。基準信号生成モジュール１７０８は、少なくとも１つのＵＥによる基地局の測定を可能にするように構成された１つまたは複数の基準信号１７１８を生成する。たとえば、基準信号１７１８は、１つまたは複数のダウンリンク信号１７２４を介してＵＥ１７１４に送信される。サブフレーム／サブバンドシグナリングモジュール１７１０は、少なくとも１つのＵＥに、ＲＳＲＱの測定のための少なくとも１つのサブフレームまたはサブフレームのサブバンド１７２０をシグナリングし、ここで、少なくとも１つのサブフレームまたはサブフレームのサブバンドは、発見のために構成された１つまたは複数の基準信号を含まない。送信モジュール１７１２は、１つまたは複数のダウンリンク信号１７２４を介して１つまたは複数の基準信号を送信し、ここで、１つまたは複数の基準信号のうちの少なくとも１つは、基地局に関連付けられた少なくとも１つのＶＣＩに基づいて送信され、少なくとも１つのＵＥによる測定のためのＶＣＩのセットを送信し、少なくとも１つのＵＥによる測定を実行するためのサブフレームのセットの指示を送信し、少なくとも１つのＵＥによる測定のための基準信号の構成の指示を送信し、ここで、基準信号はＣＲＳおよび／またはＣＳＩ−ＲＳである。
【０１２９】
[00146]一態様では、基地局のＶＣＩマッピングモジュール１７０６および／またはサブフレーム／サブバンドシグナリングモジュール１７１０は、構成情報を（たとえば、ダウンリンク信号１７２４を介して）ＵＥ１７１４に送信し得る。一例では、基地局は、スモールセルがオン状態にあり、ＵＥ１７１４をサービスしている場合、スモールセルであり得る。別の例では、基地局は、スモールセルがＵＥ１７１４をサービスしていない場合、ネイバリングセルであり得る。別の態様では、基地局のＶＣＩマッピングモジュール１７０６および／またはサブフレーム／サブバンドシグナリングモジュール１７１０は、構成情報をブロードキャストし得る。
【０１３０】
[00147]一態様では、基地局（たとえば、装置１７０２）はＵＥ１７１４のサービングセルであり得、受信モジュール１７０４は、（たとえば、アップリンク信号１７２２を介して）ＵＥ１７１４によって報告された測定値（たとえば、ＣＳＩ、ＲＳＲＱ、および／またはＲＳＲＰ）を受信するように構成され得る。一例では、サービングセルは、スモールセルがオン状態にあり、ＵＥ１７１４をサービスしている場合、スモールセルであり得る。別の例では、サービングセルは、スモールセルがＵＥ１７１４をサービスしていない場合、ネイバリングセルであり得る。
【０１３１】
[00148]本装置は、図１４Ａおよび図１４Ｂの上述のフローチャート中のアルゴリズムのステップの各々を実行する追加のモジュールを含み得る。したがって、図１４Ａおよび図１４Ｂの上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１３２】
[00149]図１８は、処理システム１８１４を採用する装置１７０２’のためのハードウェア実装形態の一例を示す図１８００である。処理システム１８１４は、バス１８２４によって概略的に表されるバスアーキテクチャを用いて実装され得る。バス１８２４は、処理システム１８１４の特定の適用例および全体的な設計制約に応じて、任意の数の相互接続バスおよびブリッジを含み得る。バス１８２４は、プロセッサ１８０４によって表される１つまたは複数のプロセッサおよび／またはハードウェアモジュールと、モジュール１７０４、１７０６、１７０８、１７１０、および１７１２と、コンピュータ可読媒体／メモリ１８０６とを含む様々な回路を互いにリンクする。バス１８２４はまた、タイミングソース、周辺機器、電圧調整器、および電力管理回路など、様々な他の回路をリンクし得るが、これらの回路は当技術分野においてよく知られており、したがって、これ以上説明しない。
【０１３３】
[00150]処理システム１８１４はトランシーバ１８１０に結合され得る。トランシーバ１８１０は１つまたは複数のアンテナ１８２０に結合される。トランシーバ１８１０は、伝送媒体を介して様々な他の装置と通信するための手段を与える。トランシーバ１８１０は、１つまたは複数のアンテナ１８２０から信号を受信し、受信された信号から情報を抽出し、抽出された情報を処理システム１８１４、特に受信モジュール１７０４に与える。さらに、トランシーバ１８１０は、処理システム１８１４、特に送信モジュール１７１２から情報を受信し、受信された情報に基づいて、１つまたは複数のアンテナ１８２０に適用されるべき信号を生成する。処理システム１８１４は、コンピュータ可読媒体／メモリ１８０６に結合されたプロセッサ１８０４を含む。プロセッサ１８０４は、コンピュータ可読媒体／メモリ１８０６に記憶されたソフトウェアの実行を含む一般的な処理を担当する。ソフトウェアは、プロセッサ１８０４によって実行されたとき、処理システム１８１４に、特定の装置のための上記で説明した様々な機能を実行させる。コンピュータ可読媒体／メモリ１８０６はまた、ソフトウェアを実行するときにプロセッサ１８０４によって操作されるデータを記憶するために使用され得る。処理システムは、モジュール１７０４、１７０６、１７０８、１７１０、および１７１２のうちの少なくとも１つをさらに含む。それらのモジュールは、プロセッサ１８０４中で動作し、コンピュータ可読媒体／メモリ１８０６中に常駐する／記憶されたソフトウェアモジュールであるか、プロセッサ１８０４に結合された１つまたは複数のハードウェアモジュールであるか、またはそれらの何らかの組合せであり得る。処理システム１８１４は、ｅＮＢ６１０の構成要素であり得、メモリ６７６、および／またはＴＸプロセッサ６１６と、ＲＸプロセッサ６７０と、コントローラ／プロセッサ６７５とのうちの少なくとも１つを含み得る。
【０１３４】
[00151]一構成では、ワイヤレス通信のための装置１７０２／１７０２’は、基地局の測定を可能にするように構成された１つまたは複数の基準信号を生成するための手段と、１つまたは複数の基準信号を送信するための手段と、ここで、１つまたは複数の信号のうちの少なくとも１つは、基地局に関連付けられた少なくとも１つのＶＣＩに基づいて送信される、ＰＣＩと少なくとも１つのＶＣＩとの間のマッピングを送信するための手段と、ＣＲＳまたはＣＳＩ−ＲＳのうちの少なくとも１つに基づいて、ＲＳＲＰおよび／またはＲＳＲＱをＵＥから受信するための手段と、ＣＳＩ−ＲＳに基づいてＣＳＩをＵＥから受信するための手段と、第１のセル識別子が第２のセル識別子とは異なるとき、ＣＳＩ−ＲＳの第１および第２の構成に基づいて、ＲＳＲＰ、ＲＳＲＱ、および／またはＣＳＩを別々に受信するための手段と、第１のセル識別子が第２のセル識別子と同じであるとき、ＣＳＩ−ＲＳの第１および第２の構成に基づいて、ＲＳＲＰ、ＲＳＲＱ、および／またはＣＳＩを一緒に受信するための手段と、ＵＥに、ＲＳＲＱの測定のための少なくとも１つのサブフレームまたはサブフレームのサブバンドをシグナリングするための手段と、ここで、少なくとも１つのサブフレームまたはサブフレームのサブバンドは、発見のために構成された１つまたは複数の基準信号を含まない、少なくとも１つのＵＥによる測定のためのＶＣＩのセットを送信するための手段と、少なくとも１つのＵＥによる測定を実行するためのサブフレームのセットの指示を送信するための手段と、少なくとも１つのＵＥによる測定のための基準信号の構成の指示を送信するための手段と、ここで、基準信号はＣＲＳおよび／またはＣＳＩ−ＲＳである、を含む。
【０１３５】
[00152]上述の手段は、上述の手段によって具陳された機能を実行するように構成された、装置１７０２の上述のモジュールおよび／または装置１７０２’の処理システム１８１４のうちの１つまたは複数であり得る。上記で説明したように、処理システム１８１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成された、ＴＸプロセッサ６１６と、ＲＸプロセッサ６７０と、コントローラ／プロセッサ６７５とであり得る。
【０１３６】
[00153]開示したプロセス／フローチャート中のステップの特定の順序または階層は、例示的な手法の一例であることを理解されたい。設計選好に基づいて、プロセス／フローチャート中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１３７】
[00154]以上の説明は、当業者が本明細書で説明した様々な態様を実施することができるようにするために提供したものである。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
【図１】
2018038047.tif 000003
【図２】
2018038047.tif 000004
【図３】
2018038047.tif 000005
【図４】
2018038047.tif 000006
【図５】
2018038047.tif 000007
【図６】
2018038047.tif 000008
【図７】
2018038047.tif 000009
【図８】
2018038047.tif 000010
【図９】
2018038047.tif 000011
【図１０】
2018038047.tif 000012
【図１１Ａ】
2018038047.tif 000013
【図１１Ｂ】
2018038047.tif 000014
【図１２Ａ】
2018038047.tif 000015
【図１２Ｂ】
2018038047.tif 000016
【図１３】
2018038047.tif 000017
【図１４】
2018038047.tif 000018
【図１５Ａ】
2018038047.tif 000019
【図１５Ｂ】
2018038047.tif 000020
【図１６Ａ】
2018038047.tif 000021
【図１６Ｂ】
2018038047.tif 000022
【図１７】
2018038047.tif 000023
【図１８】
2018038047.tif 000024
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のためのワイヤレス通信の方法であって、
セルから、前記ＵＥによる測定を実行するために構成された第１の基準信号を受信することと、ここで、前記第１の基準信号が物理セル識別子（ＰＣＩ）、または仮想セル識別子（ＶＣＩ）に基づく、
前記セルから、前記ＵＥによる測定のために構成された１つまたは複数の第２の基準信号を受信することと、ここで、前記１つまたは複数の第２の基準信号の各々が、それぞれ、１つまたは複数のＶＣＩの中からの１つのＶＣＩに基づく、
前記第１の基準信号と前記１つまたは複数の第２の基準信号とに基づいて、前記測定を実行することと
を備え、
ここにおいて、前記ＶＣＩおよび前記１つまたは複数のＶＣＩは、前記ＰＣＩに関連付けられる、
方法。
【請求項２】
前記１つまたは複数の第２の基準信号の各々に関連付けられる前記１つのＶＣＩが、サービング基地局から前記ＵＥにシグナリングされる、請求項１に記載の方法。
【請求項３】
前記第１の基準信号が、１次同期信号（ＰＳＳ）、２次同期信号（ＳＳＳ）、またはセル固有基準信号（ＣＲＳ）のうちの少なくとも１つを備える、請求項１に記載の方法。
【請求項４】
前記１つまたは複数の第２の基準信号の各々が、チャネル状態情報基準信号（ＣＳＩ−ＲＳ）を備える、請求項１に記載の方法。
【請求項５】
前記第１の基準信号および前記１つまたは複数の第２の基準信号は、サービング基地局がオフ状態またはオン状態にあるときに受信される、請求項１に記載の方法。
【請求項６】
前記ＰＣＩと前記１つまたは複数の第２の基準信号の各々に関連付けられる前記１つのＶＣＩとの間のマッピングを受信することをさらに備える、請求項１に記載の方法。
【請求項７】
前記測定を実行することが、前記第１の基準信号と前記１つまたは複数の第２の基準信号とのうちの少なくとも１つに基づいて、基準信号受信電力（ＲＳＲＰ）または基準信号受信品質（ＲＳＲＱ）のうちの少なくとも１つを決定することを備える、請求項１に記載の方法。
【請求項８】
前記ＲＳＲＰまたは前記ＲＳＲＱのうちの前記少なくとも１つをサービング基地局に報告することをさらに備える、請求項７に記載の方法。
【請求項９】
前記１つまたは複数の第２の基準信号に基づいて、前記ＲＳＲＰまたは前記ＲＳＲＱのうちの少なくとも１つを報告することを抑制すること
をさらに備える、請求項７に記載の方法。
【請求項１０】
前記１つまたは複数の第２の基準信号に基づいて、チャネル状態情報（ＣＳＩ）をサービング基地局に報告すること
をさらに備える、請求項９に記載の方法。
【請求項１１】
サービング基地局の状態を決定すること
をさらに備え、
ここにおいて、前記測定が前記サービング基地局の前記状態に基づき、ここにおいて、前記基地局の前記状態がオフ状態またはオン状態を備える、
請求項１に記載の方法。
【請求項１２】
少なくとも１つのサブフレームまたは前記サブフレームのサブバンドを決定することをさらに備え、
ここにおいて、前記測定を実行することが、前記少なくとも１つのサブフレームまたはサブバンドに基づいて、基準信号受信品質（ＲＳＲＱ）を決定することを含む、
請求項１に記載の方法。
【請求項１３】
前記ＲＳＲＱの前記測定が、前記決定された少なくとも１つのサブフレームまたは前記サブフレームのサブバンド中の受信信号強度インジケータ（ＲＳＳＩ）を測定することを備える、請求項１２に記載の方法。
【請求項１４】
測定を実行するためのサブフレームのセットの指示をネットワークから受信することをさらに備える、請求項１に記載の方法。
【請求項１５】
前記測定を実行するための基準信号構成の指示を受信することをさらに備え、ここにおいて、前記基準信号構成が、セル固有基準信号（ＣＲＳ）またはチャネル状態情報基準信号（ＣＳＩ−ＲＳ）のうちの少なくとも１つを識別する、請求項１に記載の方法。
【請求項１６】
前記第１の基準信号は、前記ＰＣＩに基づく１次同期信号（ＰＳＳ）および前記ＰＣＩに基づく２次同期信号（ＳＳＳ）のうちの少なくとも１つを備え、前記１つまたは複数の第２の基準信号は、前記ＰＣＩに基づくチャネル状態情報基準信号（ＣＳＩ−ＲＳ）を備える、請求項１に記載の方法。
【請求項１７】
前記セルからセル固有基準信号（ＣＲＳ）を受信することと、
前記第１の基準信号、前記１つまたは複数の第２の基準信号、および前記ＣＲＳに基づいて前記測定を実行することと
をさらに備える、請求項１６に記載の方法。
【請求項１８】
前記ＣＲＳは、前記ＰＣＩに基づく、請求項１７に記載の方法。
【請求項１９】
ワイヤレス通信のためのＵＥであって、
メモリと、
前記メモリに結合された少なくとも１つのプロセッサと
を備え、前記少なくとも１つのプロセッサは、
セルから、前記ＵＥによる測定を実行するために構成された第１の基準信号を受信することと、ここで、前記第１の基準信号が物理セル識別子（ＰＣＩ）、または仮想セル識別子（ＶＣＩ）に基づく、
前記セルから、前記ＵＥによる測定のために構成された１つまたは複数の第２の基準信号を受信することと、ここで、前記１つまたは複数の第２の基準信号の各々が、それぞれ、１つまたは複数のＶＣＩの中からの１つのＶＣＩに基づく、
前記第１の基準信号と前記１つまたは複数の第２の基準信号とに基づいて、前記測定を実行することと
を行うように構成され、
ここにおいて、前記ＶＣＩおよび前記１つまたは複数のＶＣＩは、前記ＰＣＩに関連付けられる、
ＵＥ。
【請求項２０】
少なくとも１つのユーザ機器（ＵＥ）による測定を可能にするように構成された第１の基準信号を生成することと、ここで、前記第１の基準信号が物理セル識別子（ＰＣＩ）、または仮想セル識別子（ＶＣＩ）に基づく、
前記少なくとも１つのＵＥによる測定を可能にするように構成された１つまたは複数の第２の基準信号を生成することと、ここで、前記１つまたは複数の第２の基準信号の各々が、それぞれ、１つまたは複数のＶＣＩの中からの１つのＶＣＩに基づく、
前記第１の基準信号と前記１つまたは複数の第２の基準信号とを送信することと
を備え、
ここにおいて、前記ＶＣＩおよび前記１つまたは複数のＶＣＩは、前記ＰＣＩに関連付けられる、
基地局のためのワイヤレス通信の方法。
【請求項２１】
前記１つまたは複数の第２の基準信号の各々のための前記ＶＣＩを送信することをさらに備える、請求項２０に記載の方法。
【請求項２２】
前記第１の基準信号が、１次同期信号（ＰＳＳ）、２次同期信号（ＳＳＳ）、またはセル固有基準信号（ＣＲＳ）のうちの少なくとも１つを備える、請求項２０に記載の方法。
【請求項２３】
前記１つまたは複数の第２の基準信号の各々が、チャネル状態情報基準信号（ＣＳＩ−ＲＳ）を備える、請求項２０に記載の方法。
【請求項２４】
前記第１の基準信号および前記１つまたは複数の第２の基準信号は、サービング基地局がオフ状態またはオン状態にあるときに送信される、請求項２０に記載の方法。
【請求項２５】
前記ＰＣＩと前記１つまたは複数の第２の基準信号の各々のための前記ＶＣＩとの間のマッピングを送信することをさらに備える、請求項２０に記載の方法。
【請求項２６】
少なくとも１つのユーザ機器（ＵＥ）から、前記少なくとも１つのＵＥからの基準信号受信電力（ＲＳＲＰ）または基準信号受信品質（ＲＳＲＱ）のうちの少なくとも１つを受信すること
をさらに備える、請求項２０に記載の方法。
【請求項２７】
少なくとも１つのユーザ機器（ＵＥ）から、前記１つまたは複数の第２の基準信号に基づいて、チャネル状態情報（ＣＳＩ）を受信すること
をさらに備える、請求項２０に記載の方法。
【請求項２８】
少なくとも１つのサブフレームまたは前記サブフレームのサブバンドを少なくとも１つのユーザ機器（ＵＥ）に示すことをさらに備え、
ここにおいて、前記ＲＳＲＱが、前記少なくとも１つのサブフレームまたはサブバンドに基づく、
請求項２６記載の方法。
【請求項２９】
前記ＲＳＲＱが、前記少なくとも１つのサブフレームまたは前記サブフレームのサブバンド中の受信信号強度インジケータ（ＲＳＳＩ）に基づく、請求項２６に記載の方法。
【請求項３０】
サービング基地局の状態を送信すること
をさらに備え、
ここにおいて、前記測定が前記サービング基地局の前記状態に基づき、ここにおいて、前記基地局の前記状態がオフ状態またはオン状態を備える、
請求項２０に記載の方法。
【請求項３１】
前記測定を実行するための基準信号構成の指示を送信することをさらに備え、ここにおいて、前記基準信号構成が、セル固有基準信号（ＣＲＳ）またはチャネル状態情報基準信号（ＣＳＩ−ＲＳ）のうちの少なくとも１つを識別する、請求項２０に記載の方法。
【請求項３２】
メモリと、
前記メモリに結合された少なくとも１つのプロセッサと
を備え、前記少なくとも１つのプロセッサは、
少なくとも１つのユーザ機器（ＵＥ）による測定を可能にするように構成された第１の基準信号を生成することと、ここで、前記第１の基準信号が物理セル識別子（ＰＣＩ）、または仮想セル識別子（ＶＣＩ）に基づく、
前記少なくとも１つのＵＥによる測定を可能にするように構成された１つまたは複数の第２の基準信号を生成することと、ここで、前記１つまたは複数の第２の基準信号の各々が、それぞれ、１つまたは複数のＶＣＩの中からの１つのＶＣＩに基づく、
前記第１の基準信号と前記１つまたは複数の第２の基準信号とを送信することと
を行うように構成され、
ここにおいて、前記ＶＣＩおよび前記１つまたは複数のＶＣＩは、前記ＰＣＩに関連付けられる、
ワイヤレス通信のための装置。
【請求項３３】
前記１つまたは複数の第２の基準信号の各々が、チャネル状態情報基準信号（ＣＳＩ−ＲＳ）を備える、請求項３２に記載の装置。
【手続補正２】
【補正対象書類名】明細書
【補正対象項目名】０１３７
【補正方法】変更
【補正の内容】
【０１３７】
[00154]以上の説明は、当業者が本明細書で説明した様々な態様を実施することができるようにするために提供したものである。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
［Ｃ１］
ユーザ機器（ＵＥ）のためのワイヤレス通信の方法であって、
前記ＵＥによって基地局測定を実行するために構成された第１の基準信号を受信することと、ここで、前記第１の基準信号が物理セル識別情報（ＰＣＩ）に基づく、
前記ＵＥによる測定のために構成された１つまたは複数の第２の基準信号を受信することと、ここで、前記１つまたは複数の第２の基準信号の各々が、前記ＰＣＩに関連付けられた仮想セル識別子（ＶＣＩ）に基づく、
前記第１の基準信号と前記１つまたは複数の第２の基準信号とに基づいて、前記基地局測定を実行することと
を備える、方法。
［Ｃ２］
前記１つまたは複数の第２の基準信号の各々のための前記ＶＣＩが、サービング基地局から前記ＵＥにシグナリングされる、Ｃ１に記載の方法。
［Ｃ３］
前記第１の基準信号が、１次同期信号（ＰＳＳ）、２次同期信号（ＳＳＳ）、またはセル固有基準信号（ＣＲＳ）のうちの少なくとも１つを備える、Ｃ１に記載の方法。
［Ｃ４］
前記１つまたは複数の第２の基準信号の各々が、チャネル状態情報基準信号（ＣＳＩ−ＲＳ）を備える、Ｃ１に記載の方法。
［Ｃ５］
前記第１の基準信号および前記１つまたは複数の第２の基準信号は、前記基地局がオフ状態またはオン状態にあるときに受信される、Ｃ１に記載の方法。
［Ｃ６］
前記ＰＣＩと前記１つまたは複数の第２の基準信号の各々のための前記ＶＣＩとの間のマッピングを受信することをさらに備える、Ｃ１に記載の方法。
［Ｃ７］
前記基地局測定を実行することが、前記第１の基準信号と前記１つまたは複数の第２の基準信号とのうちの少なくとも１つに基づいて、基準信号受信電力（ＲＳＲＰ）または基準信号受信品質（ＲＳＲＱ）のうちの少なくとも１つを決定することを備える、Ｃ１に記載の方法。
［Ｃ８］
前記ＲＳＲＰまたは前記ＲＳＲＱのうちの前記少なくとも１つを前記基地局に報告することをさらに備える、Ｃ７に記載の方法。
［Ｃ９］
前記１つまたは複数の第２の基準信号に基づいて、前記ＲＳＲＰまたは前記ＲＳＲＱのうちの少なくとも１つを報告することを抑制すること
をさらに備える、Ｃ７に記載の方法。
［Ｃ１０］
前記１つまたは複数の第２の基準信号に基づいて、チャネル状態情報（ＣＳＩ）を前記基地局に報告すること
をさらに備える、Ｃ９に記載の方法。
［Ｃ１１］
前記基地局の状態を決定すること
をさらに備え、
ここにおいて、前記基地局測定が前記基地局の前記状態に基づき、ここにおいて、前記基地局の前記状態がオフ状態またはオン状態を備える、
Ｃ１に記載の方法。
［Ｃ１２］
少なくとも１つのサブフレームまたは前記サブフレームのサブバンドを決定することをさらに備え、
ここにおいて、前記基地局測定を実行することが、前記少なくとも１つのサブフレームまたはサブバンドに基づいて、基準信号受信品質（ＲＳＲＱ）を決定することを含む、
Ｃ１に記載の方法。
［Ｃ１３］
前記ＲＳＲＱの前記測定が、前記決定された少なくとも１つのサブフレームまたは前記サブフレームのサブバンド中の受信信号強度インジケータ（ＲＳＳＩ）を測定することを備える、Ｃ１２に記載の方法。
［Ｃ１４］
測定を実行するためのサブフレームのセットの指示をネットワークから受信することをさらに備える、Ｃ１に記載の方法。
［Ｃ１５］
前記基地局測定を実行するための基準信号構成の指示を受信することをさらに備え、ここにおいて、前記基準信号構成が、セル固有基準信号（ＣＲＳ）またはチャネル状態情報基準信号（ＣＳＩ−ＲＳ）のうちの少なくとも１つを識別する、Ｃ１に記載の方法。
［Ｃ１６］
ワイヤレス通信のためのＵＥであって、
メモリと、
前記メモリに結合された少なくとも１つのプロセッサと
を備え、前記少なくとも１つのプロセッサは、
前記ＵＥによって基地局測定を実行するために構成された第１の基準信号を受信することと、ここで、前記第１の基準信号が物理セル識別情報（ＰＣＩ）に基づく、
前記ＵＥによる測定のために構成された１つまたは複数の第２の基準信号を受信することと、ここで、前記１つまたは複数の第２の基準信号の各々が、前記ＰＣＩに関連付けられた仮想セル識別子（ＶＣＩ）に基づく、
前記第１の基準信号と前記１つまたは複数の第２の基準信号とに基づいて、前記基地局測定を実行することと
を行うように構成された、ＵＥ。
［Ｃ１７］
少なくとも１つのユーザ機器（ＵＥ）による基地局測定を可能にするように構成された第１の基準信号を生成することと、ここで、前記第１の基準信号が物理セル識別情報（ＰＣＩ）に基づく、
前記少なくとも１つのＵＥによる測定を可能にするように構成された１つまたは複数の第２の基準信号を生成することと、ここで、前記１つまたは複数の第２の基準信号の各々が、前記ＰＣＩに関連付けられた仮想セル識別子（ＶＣＩ）に基づく、
前記第１の基準信号と前記１つまたは複数の第２の基準信号とを送信することと
を備える、基地局のためのワイヤレス通信の方法。
［Ｃ１８］
前記１つまたは複数の第２の基準信号の各々のための前記ＶＣＩを送信することをさらに備える、Ｃ１７に記載の方法。
［Ｃ１９］
前記第１の基準信号が、１次同期信号（ＰＳＳ）、２次同期信号（ＳＳＳ）、またはセル固有基準信号（ＣＲＳ）のうちの少なくとも１つを備える、Ｃ１７に記載の方法。
［Ｃ２０］
前記１つまたは複数の第２の基準信号の各々が、チャネル状態情報基準信号（ＣＳＩ−ＲＳ）を備える、Ｃ１７に記載の方法。
［Ｃ２１］
前記第１の基準信号および前記１つまたは複数の第２の基準信号は、前記基地局がオフ状態またはオン状態にあるときに送信される、Ｃ１７に記載の方法。
［Ｃ２２］
前記ＰＣＩと前記１つまたは複数の第２の基準信号の各々のための前記ＶＣＩとの間のマッピングを送信することをさらに備える、Ｃ１７に記載の方法。
［Ｃ２３］
少なくとも１つのユーザ機器（ＵＥ）から、前記少なくとも１つのＵＥからの基準信号受信電力（ＲＳＲＰ）または基準信号受信品質（ＲＳＲＱ）のうちの少なくとも１つを受信すること
をさらに備える、Ｃ１７に記載の方法。
［Ｃ２４］
少なくとも１つのユーザ機器（ＵＥ）から、前記１つまたは複数の第２の基準信号に基づいて、チャネル状態情報（ＣＳＩ）を受信すること
をさらに備える、Ｃ１７に記載の方法。
［Ｃ２５］
少なくとも１つのサブフレームまたは前記サブフレームのサブバンドを少なくとも１つのユーザ機器（ＵＥ）に示すことをさらに備え、
ここにおいて、前記ＲＳＲＱが、前記少なくとも１つのサブフレームまたはサブバンドに基づく、
Ｃ２３に記載の方法。
［Ｃ２６］
前記ＲＳＲＱが、前記少なくとも１つのサブフレームまたは前記サブフレームのサブバンド中の受信信号強度インジケータ（ＲＳＳＩ）に基づく、Ｃ２３に記載の方法。
［Ｃ２７］
前記基地局の状態を送信すること
をさらに備え、
ここにおいて、前記基地局測定が前記基地局の前記状態に基づき、ここにおいて、前記基地局の前記状態がオフ状態またはオン状態を備える、
Ｃ１７に記載の方法。
［Ｃ２８］
前記基地局測定を実行するための基準信号構成の指示を送信することをさらに備え、ここにおいて、前記基準信号構成が、セル固有基準信号（ＣＲＳ）またはチャネル状態情報基準信号（ＣＳＩ−ＲＳ）のうちの少なくとも１つを識別する、Ｃ１７に記載の方法。
［Ｃ２９］
メモリと、
前記メモリに結合された少なくとも１つのプロセッサと
を備え、前記少なくとも１つのプロセッサは、
少なくとも１つのユーザ機器（ＵＥ）による基地局測定を可能にするように構成された第１の基準信号を生成することと、ここで、前記第１の基準信号が物理セル識別情報（ＰＣＩ）に基づく、
前記少なくとも１つのＵＥによる測定を可能にするように構成された１つまたは複数の第２の基準信号を生成することと、ここで、前記１つまたは複数の第２の基準信号の各々が、前記ＰＣＩに関連付けられた仮想セル識別子（ＶＣＩ）に基づく、
前記第１の基準信号と前記１つまたは複数の第２の基準信号とを送信することと
を行うように構成された、
ワイヤレス通信のための装置。
［Ｃ３０］
前記１つまたは複数の第２の基準信号の各々が、チャネル状態情報基準信号（ＣＳＩ−ＲＳ）を備える、Ｃ１７に記載の装置。
【外国語明細書】
2018038047000001.pdf